(57)【要約】  容器（１０）に対して回転自在に構成された操作部（６０）と、該容器（１０）内に収容されたコア部材（８０）と、操作部（６０）を回転操作したときに作動してコア部材（８０）に加える圧力を変化させる加圧部材（１００）と、を備えたことにより、前記圧力を手動操作により任意の値に調整することによって、コア部材（８０）内部に位置するペニスに対して適正圧による変化に富んだ刺激、締め付け力を付与することを可能にする。
2018025413.tif 000002
【特許請求の範囲】
【請求項１】
少なくとも一部に開口部を有した容器と、該容器に対して回転自在に構成された操作部と、該容器内に収容され前記開口部側に位置する挿入口から内部に延びる挿入空所を有したコア部材と、前記操作部を回転操作したときに作動して前記コア部材外面に加える圧力を変化させる加圧部材と、を備えたことを特徴とする射精促進装置。
【請求項２】
前記加圧部材は、前記容器と前記コア部材との間に配置されて少なくともその一部の内外径位置を弾性的に変化させる弾性変形部を備えていることを特徴とする請求項１に記載の射精促進装置。
【請求項３】
前記弾性変形部は薄板状弾性部材を螺旋状に構成したものであり、前記操作部を一方向へ回転させた時には内外径寸法を収縮させ、該操作部を他方向へ回転させた時には内外径寸法を拡大させることを特徴とする請求項２に記載の射精促進装置。
【請求項４】
前記弾性変形部は軸方向へ延びる複数本の薄板状弾性部材を周方向間隔を隔てて配置した構成を備えており、前記操作部を一方向へ回転させた時には少なくともその一部を内径方向に変位させ、該操作部を他方向へ回転させた時には少なくともその一部を外径方向へ変位させることを特徴とする請求項２に記載の射精促進装置。
【発明の詳細な説明】
【技術分野】
【０００１】  本発明は射精促進装置に関し、特に医学的な研究、治療のための要請や、性犯罪防止、売春防止、及び性病の蔓延防止等の社会的な要請に基づいて従来から使用されてきた射精促進装置の改良に関するものである。
【背景技術】
【０００２】  医学的な研究や治療上の必要から、男性の精子を採取するための射精促進装置（精子採取装置）が種々提案されている。例えば、夫婦間の不妊の原因を究明するために採取した精子から夫の性機能を検査したり、性機能障害を治療したり、人工授精のために精子を確保、保管する等の医学的な必要性のために射精促進装置が使用される。更に、個人的な性的欲求を解消させることによる性犯罪の予防、売春防止、性病感染者数の減少等の種々の社会的なニーズを満たすためにも、従来から低廉に入手することができ、しかも使い捨てタイプ、或いは洗浄可能なタイプであるために衛生上、健康上の問題も惹起しない簡易な射精促進装置が知られている。【０００３】  例えば特許文献１（特開２００６−３３４１７６号公報）には、長手方向一端が開口した比較的硬質なプラスチック製の筒状の容器と、容器内に収容され、長手方向一端の挿入口から内部に延びる挿入空所を備えたゲル状樹脂製のコア部材とから成る射精促進装置が開示されている。  しかし、この射精促進装置にあっては、コア部材の挿入空所内にペニスを挿入してコア部材を膨張させた時に、コア部材と容器との間に形成される空間の内圧を所定値以下に減圧させることができないために、ペニスに対する締め付け力の増大に限界があった。  即ち、射精を促進するのに適した刺激の強弱には個人差があり、弱い刺激で充分な人もいれば、強い刺激でないと効果が得られない人もいるが、強い刺激を得させるためにはペニス先端部（亀頭部）に対するコア部材の密着力（吸着力）を高めることが有効である。  挿入空所にペニスを挿入した状態でペニスを摺擦させたときにペニス先端部に加わる刺激を高めるためには、コア部材と容器との間に形成される空間の内圧を減圧させてペニス先端部とコア本体の密着力（吸着力）を高めることが有効である。しかし、特許文献１の構成ではこのような減圧（圧力調整）には限界がある。【０００４】  特許文献２（特開２０１５−１１２３１７号公報）には、男性器挿入部を有する筒状内装体を内部に収容する外装体に長手方向へ延びるスリット状透孔を複数本形成して内外径方向へ伸縮可能に構成すると共に、手動操作により外装体の外面に沿って長手方向へ移動可能な締付リング体を配置し、リング体の長手方向位置によって外装体の直径を可変させることにより筒状内装体の嵌挿圧力を変化させるようにした射精促進器具が開示されている。  この射精促進器具では、外装体と筒状内装体との間の空気圧力を調整する方法によらずに、リング体からの圧力により機械的に筒状内装体に対する圧力を調整するようにしている。  しかし、リング体を外装体の長手方向に移動させる操作が煩雑であるばかりでなく、このような構成では筒状内装体を介してペニスに加わる圧力を微調整することが困難である。特に、リング体を、ペニス先端部が位置する筒状内装体の内壁先端部に相当する外装体の長手方向位置に移動させたとしてもリング体から筒状内装体を介してペニス先端部に加わる圧力は一定であり、この圧力を任意に増減変化させることはできない。
【先行技術文献】
【特許文献】
【０００５】
【特許文献１】特開２００６−３３４１７６号公報
【特許文献２】特開２０１５−１１２３１７号公報
【発明の概要】
【発明が解決しようとする課題】
【０００６】  本発明は上記に鑑みてなされたものであり、コア部材の外面に加える圧力を増減調整することによって、コア部材内部に位置するペニス（先端部のみならず全体）に対して適正圧による変化に富んだ刺激、締め付け力を付与するようにした射精促進装置の提供を目的としている。  つまり、簡易な手動操作によりコア部材への加圧力を調整することによりペニスに対する締め付け力を使用者の好みに合わせて調整できるようにしたものである。
【課題を解決するための手段】
【０００７】  上記目的を達成するため、本発明に係る射精促進装置は、少なくとも一部に開口部を有した容器と、該容器に対して回転自在に構成された操作部と、該容器内に収容され前記開口部側に位置する挿入口から内部に延びる挿入空所を有したコア部材と、前記操作部を回転操作したときに作動して前記コア部材外面に加える圧力を変化させる加圧部材と、を備えたことを特徴とする。
【発明の効果】
【０００８】  本発明によれば、コア部材の外面に加える圧力を手動操作により任意の値に増減調整することによって、コア部材内部に位置するペニスに対して適正圧による変化に富んだ刺激、締め付け力を付与することができる。
【図面の簡単な説明】
【０００９】
【図１】（ａ）及び（ｂ）は本発明の一実施形態に係る射精促進装置（精子採取装置）の外観構成を示す正面図、及び縦断面図である。
【図２】（ａ）及び（ｂ）は本射精促進装置の外観構成を示す後面側斜視図、及び先面側斜視図である。
【図３】本射精促進装置の各構成要素を示す分解正面図である。
【図４】本射精促進装置の各構成要素を示す分解斜視図である。
【図５】（ａ）乃至（ｄ）は容器本体の一部断面正面図、Ａ-Ａ断面図、Ｂ-Ｂ断面図、及びＥ-Ｅ断面図である。
【図６】（ａ）乃至（ｄ）はコア部材の正面図、縦断面図、上面図、及び外観斜視図である。
【図７】（ａ）及び（ｂ）はインナーカバー（加圧部材作動部材）の外観斜視図、及び側面図である。
【図８】（ａ）乃至（ｅ）は一つの実施形態に係る加圧部材の正面図、上面図、底面図、上側斜視図、及び下側斜視図である。
【図９】（ａ）乃至（ｄ）は操作部の正面図、平面図、縦断面図、及び開口側斜視図である。
【図１０】（ａ）（ｂ）及び（ｃ）は容器本体内に収容したインナーカバーが加圧部材を保持した状態を示す一部断面図、Ｘ-Ｘ断面図、及び操作部と加圧部材の可動部との関係を示す一部断面図である。
【図１１】（ａ）及び（ｂ）は加圧部材の変形前と変形後の状態を示す斜視図である。
【図１２】（ａ）及び（ｂ）は本発明の第２の実施形態に係る射精促進装置（精子採取装置）の外観構成を示す正面図、及び縦断面図である。
【図１３】（ａ）及び（ｂ）はこの射精促進装置の外観構成を示す後面側斜視図、及び先面側斜視図である。
【図１４】本射精促進装置の各構成要素を示す分解正面図である。
【図１５】本射精促進装置の各構成要素を示す分解斜視図である。
【図１６】（ａ）及び（ｂ）は加圧部材の一例の構成を示す正面図、及びＡ-Ａ断面図である。
【図１７】（ａ）（ｂ）及び（ｃ）は容器本体が加圧部材を保持した状態を示す一部断面図、Ｘ-Ｘ断面図、及び操作部と加圧部材との関係を示す一部断面図である。
【図１８】（ａ）及び（ｂ）は本発明の第３の実施形態に係る射精促進装置（精子採取装置）の外観構成を示す正面図、及び縦断面図である。
【図１９】本射精促進装置の各構成要素を示す分解斜視図である。
【図２０】本射精促進装置の各構成要素を示す分解正面図である。
【図２１】（ａ）（ｂ）及び（ｃ）は本射精促進装置の操作に伴う加圧部材の作動手順を示す縦断面図である。
【発明を実施するための形態】
【００１０】＜第１の実施形態＞（基本的な構成）  以下、本発明を図面に示した実施形態により詳細に説明する。
【００１１】  図１（ａ）及び（ｂ）は本発明の一実施形態に係る射精促進装置（精子採取装置）の外観構成を示す正面図、及び縦断面図であり、図2（ａ）及び（ｂ）はこの射精促進装置の外観構成を示す後面側斜視図、及び先面側斜視図であり、図３はこの射精促進装置の各構成要素を示す分解正面図であり、図４はこの射精促進装置の各構成要素を示す分解斜視図である。また、図５（ａ）乃至（ｄ）は容器本体の一部断面正面図、Ａ-Ａ断面図、Ｂ-Ｂ断面図、及びＥ-Ｅ断面図であり、図６（ａ）乃至（ｄ）はコア部材の正面図、縦断面図、上面図、及び外観斜視図であり、図７（ａ）及び（ｂ）はインナーカバー（加圧部材作動部材）の外観斜視図、及び側面図であり、図８（ａ）乃至（ｅ）は一つの実施形態に係る加圧部材の正面図、上面図、底面図、上側斜視図、及び下側斜視図であり、図９（ａ）乃至（ｄ）は操作部の正面図、平面図、縦断面図、及び開口側斜視図である。また、図１０（ａ）（ｂ）及び（ｃ）は容器本体内に収容したインナーカバーが加圧部材を保持した状態を示す一部断面図、Ｘ-Ｘ断面図、及び操作部と加圧部材の可動部との関係を示す一部断面図であり、図１１（ａ）及び（ｂ）は加圧部材の変形前と変形後の状態を示す斜視図である。
【００１２】  なお、本明細書では説明の便宜上、図１の下側を先端側（先方）と称し、上側を後端側（後方）と称する。
【００１３】  本発明に係る射精促進装置１は、少なくとも一部に開口部１１ａを有した容器（容器本体１１、キャップ２０）１０と、容器１０を構成する容器本体１１内に装着されて容器本体に対して回転不能に構成されたインナーカバー４０と、容器本体に対して回転自在に構成された操作部６０と、容器本体内に収容され開口部１１ａ側に位置する挿入口８２から内部に延びる挿入空所８４を有したコア部材８０と、操作部６０を回転操作することにより作動（弾性変形）してコア部材８０に加わる圧力を変化させる（弾性）加圧部材（弾性変形部材）１００と、を備えている。
【００１４】  容器１０は、ブロー成形により製造される樹脂製であり、且つ中空で略筒状（鼓形状）の容器本体１１と、容器本体の一端（後端）に設けられた開口部１１ａに着脱されて開口部を開閉するキャップ２０と、を備えている。容器本体１１は軸方向に貫通した中空筒状体であり、軸方向両端部に開口部１１ａ、１１ｂを有している。
【００１５】  インナーカバー４０は、インジェクション成形により製造される樹脂製で、軸方向に貫通した中空の略円筒体であり、その内部に加圧部材１００を収容する。インナーカバー４０は容器本体１１内に収容され得るようにその直径、軸方向長を含めた形状が設定されている。本例のインナーカバー４０は、角穴としての係止凹所４６と係止突起１１４との嵌合によって軸方向、周方向共に移動不能に係止される。その内側に位置する加圧部材１００を介して容器本体内に位置決め固定される。つまり、インナーカバー４０はその一端部（後端部）を加圧部材１００の一端部外面に対して回転不能、且つ軸方向移動不能に係止されるため、加圧部材１００の一端部を容器本体の一端部により回転不能、且つ軸方向移動不能に係止することにより、インナーカバー４０は容器本体に対して係止される。なお、これは一実施形態に過ぎず、インナーカバーを直接容器本体に対して係止するようにしてもよい。  インナーカバー４０と加圧部材１００とを併せてインナーユニットと称する。  インナーユニットは容器本体に対して着脱可能となっており、インナーカバー４０の一端に設けた舌状の係止片４２と容器本体の一部とが嵌合することで収容され、使用時には外れない程度に固定でき、ある程度の荷重をかけると引き抜くことができる。これにより、インナーユニットを単体で取り出して洗浄することができる。
【００１６】  インナーカバー４０の他端（先端）寄りには周方向に所定のピッチで貫通形成した四角い複数の係止穴４３と、係止穴列と平行に配置されて周方向へ延びる２個の長尺なガイド長穴４５と、を備えている。短尺な各係止穴４３は内側に配置した加圧部材１００を所定の回転角度で係止する位置決め手段であり、ガイド長穴４５は加圧部材を所定の軌道に沿って安定して回動させるガイド手段であり、加圧部材１００が少し遊びを持ちながら軸方向に収縮することを防止するストッパーとしての機能も備えている。ガイド長穴４５は、インナーカバーの他端寄りにおいてインナーカバーの中心軸に対して線対称となる位置関係で２個配置されている。
【００１７】  操作部６０は、容器本体の他端開口部（先端開口部）１１ｂを閉じるように装着され、且つ容器本体の軸線を中心として回転自在に支持されて手動操作されるキャップ（椀）形状の操作部材６１を備えている。操作部材６１は、その開口部寄りの内周面に周方向に沿って設けた溝部６２内に、容器本体の対応する外周面に設けた凸部１２を摺動自在に係合させることにより、容器本体から脱落しないように組み付けられる（図１０（ａ）（ｃ））。また、容器本体の他端部外周面に突設した複数の突起１３ａを操作部材６１の対応する内周面に設けた複数の突起６３と係合可能に構成することにより、容器本体に対する操作部材の回動範囲を規制している（図１０（ｂ））。  本例では、操作部６０は容器本体によって回転自在に支持されているが、これは一例に過ぎず操作部は容器本体に対して回転自在であればよい。
【００１８】  図９に示すように操作部材６１の内底面中央には抜気孔６４が貫通形成されると共に、操作部材の内壁には複数の薄板状のリブ６５ａ、６５ｂが複数組、所定の周方向ピッチで突設されている。一方のリブ６５ａは他方のリブ６５ｂよりも内径側に長尺であり（内径側への突出長が大きい）、各長尺のリブ６５ａの内径側端部が加圧部材１００の先端側の可動部１２０に設けた谷部１２２ｂ内に嵌合して位置決めされるように構成されている。つまり、長尺のリブ６５ａは可動部１２０の周方向位置を確定して可動部が操作部材に対して相対回転しないように固定する手段である。各短尺のリブ６５ｂは可動部１２０の外周面（山部１２２ａの外周面）に接して可動部１２０の径方向位置を確定する手段である。つまり、各短尺のリブ６５ｂは可動部の内外径位置（外周面の位置）が周方向へばらつきを起こさないようにする手段である。言い換えれば、各短尺のリブ６５ｂは、操作部材６１内における可動部１２０の形状を略円筒状に保持する手段である。
【００１９】  コア部材８０は、エラストマー等のゲル状樹脂から構成されており、挿入口８２と挿入空所８４を備えたコア本体８１と、コア本体８１の挿入口８２側の外周に突設されたフランジ８６とを概略備える。コア本体８１の外周には外周端縁に所要の間隔を隔てて突設されて互いに略同方向へ（ほぼ並行して）螺旋状に延びる複数の第１のリブ８１ａと、コア本体の外周面に所要の間隔を隔てて突設されて第１のリブ８１ａと交差する複数の第２のリブ８１ｂと、を備える。  なお、コア本体８１の外周縁の螺旋状に延びるリブ8１ａ、８１ｂの形状は一例に過ぎず、この形状、構造に限定されるものではない。
【００２０】  加圧部材１００は、インナーカバー４０の内面とコア部材８０の外面との隙間に配置されて、一端外周を容器本体１１の対応する一端内周により係止されると共に、他端縁（可動部１２０）に設けた被係止部１２２（山部１２２ａ、谷部１２２ｂ）を操作部材６１の内面に設けたリブ（係止部）６５ａ、６５ｂによって係止、保持されることにより、他端を操作部材に固定される。加圧部材１００は内外径方向へ弾性変形することにより内側に位置するコア部材の外周面に対する加圧力を変化させる弾性変形部１０１を備える。本例では弾性変形部１０１は弾性を有した帯状の樹脂板（薄板状弾性部材）１０１ａを螺旋円筒状に成形した構成（スパイラル部材）を備えており、捻り方向への外力が加わらない場合には原形を維持しているが、収縮する方向へ捻りを加えることにより縮径する。弾性変形部１０１の軸方向一端にはインナーカバー４０によって係止（固定）される環状の被固定部１１０が一体化され、軸方向他端には被係止部１２２を備えた可動部１２０が一体化されている。
【００２１】  可動部１２０に設けた被係止部１２２は、所定の周方向ピッチで交互に設けられた山部１２２ａと谷部（スリット）１２２ｂとから構成され、前述のように各谷部１２２ｂ内にリブ６５ａを嵌合させることにより、可動部１２０は操作部材６１と一体回転可能な状態となる。
【００２２】  被固定部１１０の外周面には複数の係止突条１１１が周方向に所定のギャップを隔てて突設されており、容器本体の対応する一端内周面に突設した複数個の被係止部１５を夫々各ギャップ間に嵌合（弾性的に嵌着）させることによって、被固定部１１０は容器本体に対して回転方向に変位不能に支持される。係止突条１１１は周方向に所定の間隔を隔てて複数本配置されており、係止突条の端部間のギャップの間隔は被係止部１５がギャップ内に嵌合することを許容するように設定されている。つまり、容器本体１１の一端開口部１１ａ内にインナーカバーを組み付けた加圧部材１００の先端部を差し込んで組み付ける際に、容器本体側の被係止部１５を係止突条１１１間のギャップ内に嵌合させることにより、係止突条の端部間（ギャップ内）に被係止部を嵌合させて容器本体に対してインナーカバーを回転不能な状態に移行させることができる。
【００２３】  図1（ａ），図９等に示すように、操作部材６１の外周面には所定の周方向ピッチで複数の目盛り６７が形成されており、容器本体１１の他端縁に沿った位置には、操作部材６１を容器本体に対して回転させた時に操作部材の回転角度を確認できるようにマーク１７が付されている。各目盛り６７間のピッチは、インナーカバー４０の他端（先端）寄りに形成した各係止穴４３のピッチと一致しており、加圧部材１００に設けた後述する係止突起１２３が何れかの係止穴４３に嵌合している時に、マーク１７が当該係止穴４３と対応する一つの目盛り６７と一対一で対向するように位置関係が設定されている。つまり、マーク１７と対応する位置関係にある目盛り６７の位置を確認することにより、容器本体１１に対する操作部材６１の相対的な回動角度（容器本体に対する加圧部材の可動部１２０の相対的な回動角度＝加圧部材の弾性変形部１０１の捻れ量＝コア部材に対する加圧量）を目視確認することができる。
【００２４】  加圧部材１００は、被固定部１１０をインナーカバー４０に固定された状態で、可動部１２０を操作部材６１によって回転させることにより弾性変形部１０１の少なくとも一部を内外径方向へ弾性変形させてコア部材に加わる圧力を変化させる。弾性変形部１０１は軸方向に伸縮できない代わりに内外径方向へ変形することによりコア部材に対する加圧力を調整する。
【００２５】  図１（ｂ）、図３，図４中に示したＯリング１４０は、容器本体他端寄りの凹所内に嵌合され、その外側に配置される操作部材６１の開口側端部との間で気密性を維持する。
【００２６】  次に、インナーカバー４０に対する加圧部材１００の組み付け構造について説明する。  加圧部材１００は、インナーカバー４０の一端（後端）開口部から内部に装着され、装着を完了した状態では図１、図１０に示すように大径の被固定部１１０がインナーカバーの一端縁よりも後方に位置（突出）している。この状態でインナーカバー４０の一端に設けた係止凹所４６（図7（ａ））と係止突起１１４（図8（ａ））とが嵌合することで、加圧部材１１０の周方向、軸方向への相対移動が規制される。また、加圧部材の被固定部１１０の外周面とインナーカバーの一端開口部内周面との間は摩擦抵抗により軸方向への相対移動も規制されている。
【００２７】  インナーカバー４０の他端（先端）に貫通形成されたガイド長穴４５内には、加圧部材の可動部１２０の外面に突設したスライド突起１２１が周方向へスライド自在に嵌合している。スライド突起１２１がガイド長穴４５内に嵌合することにより、インナーカバーに対して可動部１２０が安定した軌道で回転移動することが可能となる。また、各係止穴４３の配列方向と対応する可動部１２０の外面には何れか一つの係止穴４３に択一的に嵌合する係止突起１２３が突設されている。
【００２８】  図１１に示すように、スライド突起１２１，及び係止突起１２３は、樹脂板材からなる環状の可動部１２０の適所に二本の平行な切り込みを形成して、切り込み間の長方形部分を内外径方向へ弾性変形可能とした弾性変形部に設けた突起である。係止突起１２３は一定の嵌合力によって何れかの係止穴４３内に嵌合した状態にある時に、所定以上の力で操作部材６１（可動部１２０）を回転させる方向への力が加わった時に内径方向へ弾性変形（没入）して当該係止穴４３から離脱し、隣接する他の係止穴４３へ移動して嵌合することができる。
【００２９】  係止突起１２３は、係止穴４３内に嵌合した状態では嵌合状態を維持できるような突出長を有する一方で、所定以上の力が回転方向へ加わった場合には内径方向へ退避してそれまで嵌合していた係止穴４３を抜け出して隣接する係止穴内に移動できるようにその形状、摩擦抵抗等を選定されている。
【００３０】  このように本発明によれば、操作部材６１を手動操作により回転させて加圧部材１００からコア部材８０の外面に加える圧力を増減調整することによって、コア部材内部に位置するペニス（先端部のみならずペニス全体）に対して適正圧による変化に富んだ刺激、締め付け力を付与することができる。  つまり、簡易な手動操作によりコア部材への加圧力を調整することによりペニスに対する締め付け力を使用者の好みに合わせて調整することができる。
【００３１】＜第２の実施形態＞（基本的な構成）  図１２（ａ）及び（ｂ）は本発明の第２の実施形態に係る射精促進装置（精子採取装置）の外観構成を示す正面図、及び縦断面図であり、図１３（ａ）及び（ｂ）はこの射精促進装置の外観構成を示す後面側斜視図、及び先面側斜視図であり、図１４はこの射精促進装置の各構成要素を示す分解正面図であり、図１５はこの射精促進装置の各構成要素を示す分解斜視図である。また、図１６（ａ）及び（ｂ）は加圧部材の一例の構成を示す正面図、及びＡ-Ａ断面図であり、図１７（ａ）（ｂ）及び（ｃ）は容器本体が加圧部材を保持した状態を示す一部断面図、Ｘ-Ｘ断面図、及び操作部と加圧部材との関係を示す一部断面図である。
【００３２】  なお、本明細書では説明の便宜上、図１２の下側を先端側（先方）と称し、上側を後端側（後方）と称する。
【００３３】  本発明に係る射精促進装置１は、少なくとも一部に開口部１１ａを有した容器（容器本体１１、キャップ２０）１０と、容器本体に対して回転自在に構成された操作部６０と、容器本体内に収容され開口部１１ａ側に位置する挿入口８２から内部に延びる挿入空所８４を有したコア部材８０と、操作部６０を回転操作することにより作動（弾性変形）してコア部材８０に加わる圧力を変化させる（弾性）加圧部材（弾性変形部材）１００と、を備えている。
【００３４】  容器１０、コア部材８０の構成は第１の実施形態とほぼ同等であるため、同一箇所には同一符号を付して重複した構成の説明は省略する。
【００３５】  操作部６０は、容器本体の他端開口部（先端開口部）１１ｂを閉じるように装着され、且つ容器本体の軸線を中心として回転自在に支持されて手動操作されるキャップ（椀）形状の操作部材６１を備えている。操作部材６１は、その開口部寄りの内周面に周方向に沿って設けた溝部６２内に、容器本体の対応する外周面に設けた凸部１２を摺動自在に係合させることにより、容器本体に対して脱落不能、且つ回転自在に組み付けられる（図１２（ｂ））。つまり、操作部材６１は、容器本体の先端側に対して軸方向位置を変化させずに回転自在に支持されている。
【００３６】  図１２（ｂ）に示すように操作部材６１の内底面中央には抜気孔６４が貫通形成されると共に、操作部材の内壁から突設されたスリーブ７０の内壁には雌ネジ部（ネジ部）７１が形成されている。
【００３７】  加圧部材１００は、容器本体１１の内面とコア部材８０の外面との隙間に配置されて、一端外周を容器本体１１の対応する一端内周により係止されると共に、他端縁（可動部１２０）に設けた雄ネジ部（ネジ部）１２５を操作部材６１の内面に設けた雌ネジ部７１と螺合させる。即ち、加圧部材１００は、後端寄りに設けられて容器本体１１により回転不能に係止される被固定部１１０と、先端寄りに設けられて操作部材６１の雌ネジ部７１と螺合する雄ネジ部１２５を有した可動部１２０と、被固定部１１０と可動部１２０に両端部を夫々一体化された弾性変形部１０１と、を備えている。回転しても軸方向位置に変化が生じない操作部材６１を正逆回転させると、雌ネジ部７１と螺合した雄ネジ部１２５を介して可動部１２０が軸方向へ進退するため、弾性変形部１０１が内外径方向へ伸縮変形する。
【００３８】  即ち、加圧部材１００は内外径方向へ弾性変形することにより内側に位置するコア部材の外周面に対する加圧力を変化させる弾性変形部１０１を備える。本例では弾性変形部１０１は弾性を有した帯状の樹脂板（薄板状弾性部材）１０１ａを螺旋円筒状に成形した構成（スパイラル部材）を備えており、捻り方向への外力が加わらない場合には原形を維持しているが、収縮する方向へ捻りを加えることにより縮径（加圧方向に変形）する。弾性変形部１０１の軸方向一端には容器本体によって係止（固定）される環状の被固定部１１０が一体化され、軸方向他端には雄ネジ部１２５を備えた可動部１２０が一体化されている。  なお、雌ネジ部７１と雄ネジ部１２５の各ネジ部の傾斜をなだらかにしてピッチを狭くすることで、操作部材６１を周方向に回転させたときにネジ山間で発生する摩擦抵抗を大きくすることができる。このため、格別のロック機構を設けることなく任意の周方向位置（容器本体に対する回転方向角度）に操作部材を保持することができるので、操作部材の周方向位置に応じて得られる加圧部材からの締め付け力を無段階で調整することが可能となる。  なお、操作部側のネジ部を雄ネジ部とし、可動部側のネジ部を雌ネジ部としてもよい。
【００３９】  被固定部１１０の外周面には複数の係止突条１１１が周方向に所定のギャップを隔てて突設されており、容器本体の対応する一端内周面に突設した複数個の被係止部１５を夫々各ギャップ間に嵌合させることによって、被固定部１１０は容器本体に対して回転方向に変位不能に支持される。係止突条１１１は周方向に所定の間隔を隔てて複数本配置されており、係止突条の端部間のギャップの間隔は被係止部１５がギャップ内に嵌合することを許容するように設定されている。つまり、容器本体１１の一端開口部１１ａ内に加圧部材１００の先端部を差し込んで組み付ける際に、容器本体側の被係止部１５を係止突条１１１間のギャップ内に嵌合させることにより、係止突条の端部間（ギャップ内）に被係止部を嵌合させて容器本体に対して回転方向へ変位不能な状態に移行させることができる。
【００４０】  以上の構成において、図１７（ｃ）に示すように操作部材６１を一方向R1へ回転させるとこの回転力が雌ネジ部７１から雄ネジ部１２５に伝達されて可動部１２０が軸方向ＡＤ１（伸長方向）へ移動するため、弾性変形部１０１が伸長しつつ縮径してコア部材８１の外周面を内側へ向けて圧迫する。一方、操作部材６１を一方向Ｒ２へ回転させるとこの回転力が雌ネジ部７１から雄ネジ部１２５に伝達されて可動部１２０が軸方向ＡＤ２（短縮方向）へ移動するため、弾性変形部１０１が短縮しつつ拡径してコア部材８１の外周面への加圧力を弱めてゆく。
【００４１】  このように本発明によれば、操作部材６１を手動操作により回転させて加圧部材１００からコア部材８０の外面に加える圧力を増減調整することによって、コア部材内部に位置するペニス（先端部のみならずペニス全体）に対して適正圧による変化に富んだ刺激、締め付け力を付与することができる。  つまり、簡易な手動操作によりコア部材への加圧力を調整することによりペニスに対する締め付け力を使用者の好みに合わせて調整することができる。
【００４２】＜第３の実施形態＞（基本的な構成）  図１８（ａ）及び（ｂ）は本発明の第３の実施形態に係る射精促進装置（精子採取装置）の外観構成を示す正面図、及び縦断面図であり、図１９はこの射精促進装置の各構成要素を示す分解斜視図であり、図２０はこの射精促進装置の各構成要素を示す分解正面図であり、図２１（ａ）（ｂ）及び（ｃ）はこの射精促進装置の操作に伴う加圧部材の作動手順を示す縦断面図である。
【００４３】  なお、本明細書では説明の便宜上、図１８の下側を先端側（先方）と称し、上側を後端側（後方）と称する。
【００４４】  本発明に係る射精促進装置１は、少なくとも一部に開口部３０ａを有した容器（容器本体３０、キャップ３５）１０と、容器本体３０に対して回転自在に構成された操作部１５０と、容器本体内に収容され開口部３０ａ側に位置する挿入口８２から内部に延びる挿入空所８４を有したコア部材８０と、操作部１５０を回転操作することにより作動（弾性変形）してコア部材８０に加わる圧力を変化させる（弾性）加圧部材（弾性変形部材）２００と、を備えている。
【００４５】  容器１０は、内部にコア部材８０と加圧部材２００を収容する容器本体３０と、容器本体３０の開口部３０ａを（操作部１５０を介して）閉止するキャップ３５と、を備えている。
【００４６】  なお、容器本体の開口部３０ａ側にキャップ３５を固定した状態で、容器本体及びキャップに対して操作部１５０のみを回転自在としてもよいし、キャップ３５に対して操作部１５０を係止させた状態でキャップと共に操作部を容器本体に対して回転自在としてもよい。
【００４７】  コア部材８０の構成は第１、及び第２の実施形態とほぼ同等であるため、同一箇所には同一符号を付して重複した構成の説明は省略する。
【００４８】  操作部１５０は環状体からなる操作部材１５１を備え、容器本体の一端開口部（後端開口部）１１ｂの外周に対して回転自在に配置され、且つ容器本体の軸線を中心として回転自在に支持されて手動操作されるダイヤルである。操作部材１５１を回転させる際に容器本体に対する軸方向位置が大きく変化しないように、操作部材１５１を容器本体によって支持する。
【００４９】  操作部材１５１は、その内側に環状のカム部１５５（図２１）を同心円状、且つ一体に備えており、このカム部１５５が加圧部材２００の後端縁から突設したカムフォロワ２０５と係合（摺動）するように構成されている。操作部材１５１を容器本体に対して回動させることによりカム部１５５がカムフォロワを軸方向へ押圧する距離を変化させることにより、加圧部材の弾性変形部２１５を内外径方向へ変形（変位）させる。
【００５０】  カム部１５５は、所定の周方向長を有した複数の傾斜面１５５ａを段差部１５５ｂを介して円周状に連設した構成を備えており、操作部材１５１を正逆回転させた時に加圧部材のカムフォロワ２０５の先端部が各傾斜面に沿って相対的に進退移動することにより、カムフォロワの軸方向位置を変化させることができる。
【００５１】  加圧部材２００は、容器本体３０の内面とコア部材８０の外面との隙間に回転しないように配置されて、一端に設けた複数のカムフォロワ２０５を操作部材１５１のカム部１５５の傾斜面１５５ａと摺動自在に接触（或いは、近接）させると共に、他端部（先端部２１０）を容器本体の先端内部に接触させている。本例に係る加圧部材２００は後端が開口し、先端部２１０が閉じた略袋状体である。カムフォロワ２０５は加圧部材の後端に設けた環状部２０２から突設した先端が円弧状の突起であり、本例では９０度間隔で４個突設されている。  加圧部材は、所定以上の硬度（保形性）と弾性を有した樹脂板、或いはゴム板から構成される。
【００５２】  環状部２０２と、加圧部材の先端部２１０との間には、弾性変形部２１５が一体化されている。即ち、加圧部材２００は内外径方向へ弾性変形することにより内側に位置するコア部材の外周面に対する加圧力を変化させる弾性変形部２１５を備える。本例に係る弾性変形部２１５は、軸方向へ延びる複数本の弾性を有した略帯状の樹脂板である薄板状弾性部材（弾性変形部材）２１６を周方向間隔（長穴２１７）を隔てて配置した構成を備えている。そして、操作部材１５１を一方向へ回転させた時には薄板状弾性部材（弾性変形部材）を内径側（加圧方向）に変位（変形）させ、操作部材を他方向へ回転させた時には薄板状弾性部材を外径側（非加圧方向）に変位させるように構成されている。
【００５３】  本例に係る薄板状弾性部材２１６は、外力が加わらない場合にその軸方向両端部よりも軸方向中間部２１６ａが内径側に引っ込んだ構成を備えており、加圧部材を軸方向へ圧縮する力が加わった際には中間部２１６ａは更に内径方向へ変形し易くなっている。
【００５４】  以上の構成において、図２１（ａ）に示すように操作部材１５１（カム部１５５）を一方向R1へ回転させると、各傾斜面１５５ａに対して各カムフォロワ２０５を相対的に矢印Ｄ１方向へ移動させようとする力が加わるため、可動部としての環状部２０２が全体として軸方向内側へ移動し、薄板状弾性部材２１６を圧縮させて内径側へ変形させる。このため、各薄板状弾性部材２１６がコア部材８０の外周面を内側へ向けて徐々に圧迫する。一方、操作部材１５１（カム部１５５）を他方向Ｒ２へ回転させると、各傾斜面１５５ａに対して各カムフォロワ２０５を相対的に矢印Ｄ１とは逆方向へ移動させようとする力が加わるため、環状部２０２が全体として軸方向外側へ移動し、薄板状弾性部材２１６を外径側へ変形させる。このため、各薄板状弾性部材２１６がコア部材８１の外周面を内側へ向けて圧迫する力が徐々に弱められてゆく。
【００５５】  このように第３の実施形態に係る射精促進装置では、弾性変形部２１５は軸方向へ延びる複数本の薄板状弾性部材２１６を周方向間隔を隔てて配置（離隔配置）した構成を備えており、操作部を一方向へ回転させた時には少なくともその一部を内径方向に変位させ、該操作部を他方向へ回転させた時には少なくともその一部を外径方向へ変位させることを特徴とする。
【００５６】  このため、操作部１５０を手動操作により回転させて加圧部材２００からコア部材８０の外面に加える圧力を増減調整することによって、コア部材内部に位置するペニス（先端部のみならずペニス全体）に対して適正圧による変化に富んだ刺激、締め付け力を付与することができる。  つまり、簡易な手動操作によりコア部材への加圧力を調整することによりペニスに対する締め付け力を使用者の好みに合わせて調整することができる。
【００５７】  ＜本発明の構成、作用、効果のまとめ＞  第１の本発明に係る射精促進装置は、少なくとも一部に開口部１１ａ、３０ａを有した容器（容器本体１１、３０、キャップ２０、３５）１０と、容器に対して回転自在に構成された操作部６０、１５０と、容器内に収容され開口部側に位置する挿入口から内部に延びる挿入空所を有したコア部材８０と、操作部を回転操作したときに作動してコア部材外面に加える圧力を変化させる加圧部材１００、２００と、を備えたことを特徴とする。
【００５８】  操作部６０、１５０は、容器本体に対して回転自在（回動自在）に構成されていると共に、操作部の回転力、回転角度の変化が加圧部材１００、２００を変形させる力に変換されて加圧部材の一部がコア部材を締め付ける力を変化させる。このため、加圧部材からコア部材８０の外面に加える圧力を増減微調整することが可能となり、コア部材内部に位置するペニスの先端部、或いはペニス全体に対して適正圧による変化に富んだ刺激、締め付け力を付与することができる。  つまり、簡易な手動操作によりコア部材への加圧力を微調整することによりペニスに対する締め付け力を使用者の好みに合わせて微調整することができる。容器本体に対して回転自在（回動自在）に構成されているとは、容器本体によって直接回転自在に支持されている場合は勿論、容器本体によって間接的に回転自在に支持されている場合、その他、他の部材によって容器本体に対して回転自在な構成を広く含むものである。
【００５９】  第２の本発明に係る射精促進装置では、加圧部材１００、２００は、容器とコア部材との間に配置されて少なくともその一部の内外径位置を弾性的に変化させる弾性変形部１０１、２１５を備えていることを特徴とする。  操作部を回転させることにより加圧部材を構成する弾性変形部１０１、２１５の少なくとも一部が変形してコア部材を圧縮させたり、圧縮する力を弱めることが可能となる。
【００６０】  第３の本発明に係る射精促進装置では、弾性変形部１０１は薄板状弾性部材１０１ａを螺旋状に構成したものであり、操作部を一方向へ回転させた時には内外径寸法を収縮させ（内径側に変位し）、該操作部を他方向へ回転させた時には内外径寸法を拡大させる（外径側に変位する）ことを特徴とする。  薄板状弾性部材を螺旋状（スパイラル状）に構成したコイルバネ状の弾性変形部１０１は、軸方向一端を固定した状態で他端を正逆二方向に回転させることにより内径方向へ収縮したり、外径方向へ拡開することができる。
【００６１】  第４の本発明に係る射精促進装置では、弾性変形部２１５は軸方向へ延びる複数本の薄板状弾性部材２１６を周方向間隔を隔てて配置（離隔配置）した構成を備えており、操作部を一方向へ回転させた時には少なくともその一部を内径方向に変位させ、該操作部を他方向へ回転させた時には少なくともその一部を外径方向へ変位させることを特徴とする。  第３の実施形態に係る弾性変形部２１５のように軸方向へ延びる構成としてもよい。この場合には、少なくとも弾性変形部の一部が内外径方向へ変形し易い構成としておくのが好ましい。
【００６２】＜本出願人が関与している医学的な研究例＞  本出願人が大学や病院等の医学的な研究機関との提携で実施している医学的な研究例として以下の実例を挙げる。
【００６３】  １．２０１４年１０月に、獨協医科大学越谷病院泌尿器科にて、本出願人の製品である射精促進装置を用いて精子採取実験を行った。  これは、射精促進装置を用いた場合と、手による射精行為によった場合とで、何れの方がより良好な精子（活きた精子数の割合）を採取できるかの実験、研究である。  本出願人の製品である射精促進装置、ＴＥＮＧＡ（登録商標、Deep Throat Cup）を使って採取した精子と、普通に手を使って射精した精子を比較研究した。被験者は、20名。  精子の質、量を見るのみならず、マウスの卵に人の精子を受精させ、初期分裂の具合をも比較した。
【００６４】  ２．スペイン性機能クリニックのロドリゲス氏（臨床心理士、性科学者）による早漏リハビリ研究 http://www.isemu.es/index.html     早漏患者に対し本出願人の製品である射精促進装置（登録商標、EGG）を使用して射精させたところ改善が見られたので、より本格的な射精促進装置である、FLIP  HOLE（登録商標）で被験者20名に対して6週間に渡り実験を実施した。  結果は、国際性科学会雑誌に論文として投稿予定。
【００６５】  ３．シンガポールのGleneagles病院  Lim教授の早漏リハビリ研究（現在進行中）http://gleneagles.com.sg/DoctorsCV/Urology/Dr-Lim-Huat-Chye-Peter?speciality=UROLOGY  早漏スコア最高点の人を対象に、射精促進装置（登録商標、TENGA）でリハビリ治療した場合と、治療薬を使った場合との効果を比較研究する。
【符号の説明】
【００６６】１…射精促進装置、１０…容器、１１…容器本体、１１ａ…開口部、１２…凸部、１３ａ…突起、１５…被係止部、１７…マーク、２０…キャップ、３０…容器本体、３０ａ…開口部、３５…キャップ、４０…インナーカバー、４２…係止片、４３…係止穴、４５…ガイド長穴、６０…操作部、６１…操作部材、６２…溝部、６３…突起、６４…抜気孔、６５ａ…リブ、６５ｂ…リブ、７０…スリーブ、７１…雌ネジ部、８０…コア部材、８１…コア本体、８１ａ…リブ、８１ｂ…リブ、８２…挿入口、８４…挿入空所、８６…フランジ、１００，２００…加圧部材、１０１，２１５…弾性変形部、１０１ａ…薄板状弾性部材、１１０…被固定部、１１１…係止突条、１２０…可動部、１２１…スライド突起、１２２…被係止部、１２２ａ…山部、１２２ｂ…谷部、１２３…係止突起、１２５…雄ネジ部、１４０…Ｏリング、１５０…操作部、１５１…操作部材、１５５…カム部、１５５ａ…傾斜面、１５５ｂ…段差部、２００…加圧部材、２０２…環状部、２０５…カムフォロワ、２１０…先端部、２１５…弾性変形部、２１６…薄板状弾性部材、２１６ａ…軸方向中間部、２１７…長穴。
【図１】
2018025413.tif 000003
【図２】
2018025413.tif 000004
【図３】
2018025413.tif 000005
【図４】
2018025413.tif 000006
【図５】
2018025413.tif 000007
【図６】
2018025413.tif 000008
【図７】
2018025413.tif 000009
【図８】
2018025413.tif 000010
【図９】
2018025413.tif 000011
【図１０】
2018025413.tif 000012
【図１１】
2018025413.tif 000013
【図１２】
2018025413.tif 000014
【図１３】
2018025413.tif 000015
【図１４】
2018025413.tif 000016
【図１５】
2018025413.tif 000017
【図１６】
2018025413.tif 000018
【図１７】
2018025413.tif 000019
【図１８】
2018025413.tif 000020
【図１９】
2018025413.tif 000021
【図２０】
2018025413.tif 000022
【図２１】
2018025413.tif 000023
【国際調査報告】
2018025413.tif 000024
2018025413.tif 000025
2018025413.tif 000026
2018025413.tif 000027